(57)【要約】  本発明は、抗菌性の泡を分注する、手の殺菌用装置を提供する。この装置により、簡単且つ便利な使用方法が実現し、使用時に水が不要となり、さらに残留物が低減される。また、キットと使用方法も提供する。【特許請求の範囲】
【請求項１】
抗菌組成物をユーザーの手に供給するための装置であって、
ｉ．少なくとも１つのピログルタミン酸誘導体と約１０〜４０％未満の揮発性溶媒とを含んでなる液体抗菌組成物；
ｉｉ．前記液体抗菌組成物を収容する容器；および
ｉｉｉ．前記容器と流体連通しており、前記抗菌組成物を泡として分注するための手段を含んでなる、装置。
【請求項２】
前記抗菌組成物が、抗菌剤、抗ウイルス剤、又はこれらの混合物である、請求項１に記載の装置。
【請求項３】
前記揮発性溶媒に、Ｃ１〜Ｃ６アルコール、好ましくはエタノール、が含まれる、請求項１又は２に記載の装置。
【請求項４】
前記液体抗菌組成物が、揮発性溶媒を約１０〜約２５％含んでなる、請求項３に記載の装置。
【請求項５】
前記抗菌組成物に、補助的な酸、好ましくは有機酸、より好ましくはコハク酸、が含まれる、請求項１〜４のいずれか１項に記載の装置。
【請求項６】
前記液体抗菌組成物に、界面活性剤、好ましくはアニオン性界面活性剤、が含まれる、請求項１〜５のいずれか１項に記載の装置。
【請求項７】
前記界面活性剤が、０．１〜２５％の濃度で存在している、請求項７に記載の装置。
【請求項８】
前記液体抗菌組成物のｐＨが、約２〜約５である、請求項１〜７のいずれか１項に記載の装置。
【請求項９】
前記液体抗菌組成物が、不揮発性成分を３０％以下、好ましくは１０％以下、含んでなる、請求項１〜８のいずれか１項に記載の装置。
【請求項１０】
前記液体抗菌組成物が、ピログルタミン酸誘導体を０．１〜１０％含んでなる、請求項１〜９のいずれか１項に記載の装置。
【請求項１１】
前記抗菌組成物を分注するための前記手段により、液体抗菌組成物と気体とを少なくとも１：１、好ましくは１：１〜１：３０、より好ましくは１：５〜１：１５、の容量比で混合する、請求項１〜１０のいずれか１項に記載の装置。
【請求項１２】
ユーザーの手を消毒する方法であって、
ｉ．請求項１〜１１のいずれか１項に記載の装置から液体抗菌組成物をユーザーの片手又は両手に分注する工程；
ｉｉ．ユーザーの手をこすり合わせて手の表面のほぼ全体に泡を分散させる工程；
ｉｉｉ．前記ユーザーの手に液体残留物が実質的に残らないように、泡が消散するのに十分な時間、続けてユーザーの手をこすり合わせる工程
を含んでなる、方法。
【請求項１３】
ユーザーの手を消毒するためのキットであって、
ｉ．少なくとも１つのピログルタミン酸誘導体と約１０〜４０％未満の揮発性溶媒とを含んでなる、パッケージされた抗菌組成物；
ｉｉ．前記液体抗菌組成物を収容する容器；および
ｉｉｉ．前記容器と流体連通しており、前記抗菌組成物を泡として分注するための手段
を含んでなる、キット。
【発明の詳細な説明】
【技術分野】
【０００１】
本発明は抗菌剤装置の分野に関するものであり、より詳細には、本発明は抗菌組成物と前記組成物を収容して泡として分注する容器に関するものである。本明細書の装置は、即効性と残効性が増大した抗ウイルス効果と抗菌効果、並びに使用時における適用範囲効率性の向上をもたらす抗菌組成物を供給する。
【背景技術】
【０００２】
人の健康は様々な微生物の影響を受ける。これらの微生物が人又は他の哺乳類に侵入すると、しばしば種々の病気や疾患を引き起こす。このような混入に対する世間一般の意識は、近年の食中毒や連鎖菌感染などの発生数の増加により高まってきている。その結果、医療業界による推進として、一般に体の一部などの汚染表面に接触する領域の洗浄（手洗いなど）、食品（未調理の肉、野菜、果物など）、調理器具、調理表面（容器の上面、シンクなど）の洗浄が世間一般に促されている。このような方法は、病原微生物を人の皮膚並びにその他の表面から除去する試みにおいて重要であることが知られている。
【０００３】
哺乳類の皮膚に存在している可能性がある微生物の種類としては、ウイルス、細菌、および真菌が挙げられる。一般に、呼吸器疾患を引き起こす最も問題とされるウイルスはライノウイルス、インフルエンザ・ウイルス、およびアデノウイルスである可能性が最も高いことをウイルス学者は認めている。特にライノウイルスは、最初に感冒を引き起こす原因になると考えられている。ライノウイルスはピコルナウイルス族に属している。ライノウイルスは外皮がないため、「裸のウイルス」と呼ばれている。これらのピコルナウイルスは、第四級アンモニウム化合物などの通常使用される手段で不活化するのは難しいことが知られている。
【０００４】
ライノウイルスの感染は、ウイルスに汚染された呼吸器分泌物により人から人に広がる。伝染の主要形式は、浮遊ウイルス粒子の吸入とは対照的に、直接接触によることが証拠により示されている。病人によりその手や周囲環境物が汚染される傾向にあることが立証されている。ライノウイルスは、風邪を引いている人の手の４０〜９０％とさまざまな物体の６〜１５％とから回収されている。ライノウイルスは、汚染後、数時間にわたって多くの環境表面で良好な生存率を示すため、新たに汚染された手指で目をこすったり、鼻の粘膜に触れると、感染は手指同士の接触により、また汚染された環境表面に触れた手指により、容易に広がる。
【０００５】
ライノウイルスによる風邪の大部分は、ウイルスに汚染された手又は物体との直接接触により広がるため、手や表面上のウイルスを不活化することで感染リスクを減らすことができる。一般的な家庭用フェノール／アルコール消毒剤は、汚染された環境表面の消毒に有効なことが明らかになっているが、残効性のウイルス破壊効果には欠ける。手洗いは汚染された手指の消毒に非常に有効であるが、同様に残効性に欠ける。
【０００６】
これらの欠点により、ライノウイルスに対する残効性を有するウイルス破壊技術を向上させるという大きな課題が与えられている。
【０００７】
ヨウ素は有効な抗ウイルス剤であり、皮膚上で残効性の抗ライノウイルス活性をもたらすことが知られている。実験的に誘発した風邪と自然の風邪との伝染の研究において、ヨウ素製品を使用した被験者は、プラセボを使用したユーザーより顕著に風邪が軽かった。このことは、ヨウ素が長期間にわたってライノウイルス感染の伝染防止に有効であることを示している。従って、即効性と残効性の抗ウイルス活性を共にもたらす（ヨウ素に付随する色やにおいの欠点がない）手用の製品、ローション、又は洗浄剤の開発は、風邪の発生率の低下に有効であると考えられる。同様に、抗ウイルス活性を示す局所製品は、アデノウイルス、ロタウイルス、ヘルペスウイルス、呼吸器合胞体ウイルス、コロナウイルス、パラインフルエンザ・ウイルス、エンテロウイルス、インフルエンザ・ウイルスなどのその他のウイルスにより引き起こされるウイルス誘発疾病の予防および／又は治療に有効であると考えられる。
【０００８】
このような組成物の例は、ＷＯ０１／２８３３８号、米国特許第４，９７５，２１７号とＷＯ０１／２８５５６号に見ることができる。これらの組成物は一般に、使用時に優れた抗菌活性をもたらす。しかしこのような局所製品は一般に、標準的な消費者の手で乾燥させると、手にべたつき感、粘着感、又は触知可能な残留物を残すか、あるいは水で洗い流して残留物を除去する必要があり、更に一般的には、組成物を過量に使用しないと、消費者の手を適切に洗浄するほどには十分に行き渡らないという別の欠点がある。
【発明の開示】
【発明が解決しようとする課題】
【０００９】
従って、このような欠点を克服し、更に携帯性、効率的な使用、および優れた使用時の適用範囲をもたらす抗菌組成物が含まれている装置を提供する必要性が依然として存在する。
【課題を解決するための手段】
【００１０】
本発明は、抗菌組成物をユーザーの手に供給するための装置であって、
ｉ）少なくとも１つのピログルタミン酸誘導体と約１０〜４０％未満の揮発性溶媒とを含んでなる液体抗菌組成物；
ｉｉ）前記液体抗菌組成物を収容する容器；および
ｉｉｉ）前記容器と流体連通しており、前記抗菌組成物を泡として分注するための手段を含んでなる、装置、を提供するものである。
【００１１】
また、本発明は、キットと使用方法の提供に関するものでもある。本発明の装置は、水で洗い流す必要がなく、従ってどこででも使用可能な抗菌剤の泡をユーザーに提供する。更に、泡を形成させる際に用いる液体の容積よりも実質的に大きな容積を有する泡を供給することで、使用する抗菌組成物の量が少なくて済み、泡により効率的な使用が実現するため、適用範囲がより広くなり、衛生度が向上する。更に、泡の使用により、ユーザーの手などの消毒した表面上に残る残留物を減らすことができる。
【００１２】
本発明は更にユーザーの手を消毒する方法であって、
ｉ．前記のいずれかの１項に記載の装置から液体抗菌組成物をユーザーの片手又は両手に分注する工程；
ｉｉ．ユーザーの手をこすり合わせて手の表面のほぼ全体に泡を分散させる工程；
ｉｉｉ．前記ユーザーの手に液体残留物が実質的に残らないように、泡が消散するのに十分な時間、続けてユーザーの手をこすり合わせる工程
を含んでなる、方法を提供する。
【００１３】
また、本発明はユーザーの手を消毒するためのキットであって、
ｉ．パッケージに注入した抗菌組成物であって、少なくとも１つのピログルタミン酸誘導体が含まれている抗菌組成物；
ｉｉ．前記液体抗菌組成物を収容する容器；および
ｉｉｉ．前記容器と流体連通しており、前記抗菌組成物を泡として分注するための手段；
を含んでなる、キットを提供する。
【発明を実施するための最良の形態】
【００１４】
本発明は、抗菌組成物をユーザーの手に供給するための装置とその使用方法であって、
ｉ．少なくとも１つのピログルタミン酸誘導体と約１０〜４０％未満の揮発性溶媒とを含んでなる液体抗菌組成物；
ｉｉ．前記液体抗菌組成物を収容する容器；および
ｉｉｉ．前記容器と流体連通しており、前記抗菌組成物を泡として分注するための手段を含んでなる、装置を提供する。
【００１５】
本発明の別の実施形態では、
ｉ．パッケージに注入した抗菌組成物であって、少なくとも１つのピログルタミン酸誘導体が含まれている抗菌組成物；
ｉｉ．前記抗菌組成物を液体の状態で収容するのに好適な容器；および
ｉｉｉ．前記容器と流体連通しており、前記抗菌組成物を泡として分注するための手段を含んでなる、装置を提供する。
【００１６】
本明細書で使用する時、「抗菌」という用語には、即効性と残効性の両方の抗ウイルス活性、抗菌活性、抗カビ活性が含まれる。
【００１７】
本明細書で使用する時、「残効性の抗ウイルス効果」とは、角質組織（皮膚など）又はその他の表面で、適用後、一定期間の間、有効性を維持し、顕著な抗ウイルス活性（特にライノウイルスに対する活性）を提供する残留物を残すか、あるいはその状態を付与することを意味する。好ましくは、本明細書に記載の組成物は、ライノウイルスなどの病原性ウイルスを約０．５時間、より好ましくは約１時間、最も好ましくは約３時間保持した場合、ログ１．０換算、好ましくはログ１．５換算、より好ましくはログ２．０換算の残効性の抗ウイルス効果を示す。残効性の抗ウイルス効果の測定に使用する方法は、以下の「分析方法」の項で説明する。
【００１８】
本明細書で使用する時、「残効性の抗菌効果」とは、角質組織（皮膚など）又はその他の表面で有効性を維持し、顕著な抗菌活性（特に一過性グラム陽性と陰性菌に対する活性）を提供する残留物を残すか、あるいはその状態を付与することを意味する。好ましくは、本明細書に記載の組成物は、大腸菌などの細菌を約０．５時間、より好ましくは約１時間、最も好ましくは約３時間保持した場合、ログ１．０換算、好ましくはログ１．５換算、より好ましくはログ２．０換算の残効性の抗菌効果を示す。
【００１９】
本明細書で使用する時、「安全且つ有効な量」とは、明白な効果（例えば、乾燥した皮膚の見た目や皮膚剥離の改善など）を顕著に誘発するのに十分な化合物、構成成分、又は組成物（適用可能な場合）の量であるが、深刻な副作用（例えば、過度の毒性又はアレルギー反応など）を引き起こさない、すなわち適切な医学的判断の範囲内でリスク比に対する合理的な効果を提供するのに十分少ない量を意味する。
【００２０】
本明細書で使用するすべてのパーセンテージと割合は、特に指定のない限り、質量基準で計算されている。別段の指示がない限り、すべてのパーセンテージは組成物全体をベースにして計算されている。
【００２１】
すべての分子量は重量平均分子量であり、グラム／モルの単位で表わされている。
【００２２】
すべての成分濃度は成分の活性濃度に基づくものであり、指定がない限り、市販原料に存在している可能性がある溶媒、副生成物、又はその他の不純物を含まない。
【００２３】
すべての測定は、指示がない限り、およそ２５°Ｃの室温で行う。
【００２４】
抗菌組成物
本発明の第１の実施形態による装置には、抗菌組成物が含まれている。抗菌組成物を本発明の装置に使用する場合、抗菌組成物は好ましくは液体組成物である。キットの形態で使用する場合、抗菌組成物は、液体、又は装置での使用前に水などの溶媒で溶解された固体などの、好適な形態でパッケージに注入してもよい。いずれの実施形態の抗菌組成物も液体であることが好ましい。
【００２５】
本発明の抗菌組成物が、安全且つ有効な量のピログルタミン酸誘導体を含んでなる。本明細書で使用する時、ピログルタミン酸誘導体とは、その立体異性体と互変異性体を総称する。ピログルタミン酸は、ピロリドンカルボン酸とも呼ばれ、２つの立体異性体（ＤとＬ）を有しており、いずれも本明細書に用いるのに好ましい。ピログルタミン酸のＤ立体異性体は、Ｄ−プロリン、５−オキソ−（＋）−２−ピロリドン−５−カルボン酸、（＋）−ピログルタミン酸、（Ｒ）−２−ピロリドン−５−カルボン酸、５−オキソ−Ｄ−プロリン、Ｄ−２−ピロリドン−５−カルボン酸、Ｄ−ピログルタミン酸、Ｄ−ピロリジノンカルボン酸、およびＤ−ピロリドンカルボン酸という名前でも知られている。
【００２６】
ピログルタミン酸のＬ立体異性体は、Ｌ−プロリン、５−オキソ−（−）−２−ピロリドン−５−カルボン酸、（−）−ピログルタミン酸、（５Ｓ）−２−オキソピロリジン−５−カルボン酸、（Ｓ）−（−）−２−ピロリドン−５−カルボン酸、（Ｓ）−２−ピロリドン−５−カルボン酸、（Ｓ）−５−オキソ−２−ピロリジンカルボン酸、（Ｓ）−ピログルタミン酸、２−Ｌ−ピロリドン−５−カルボン酸、２−ピロリジノン−５−カルボン酸、５−カルボキシ−２−ピロリジノン、５−オキソ−Ｌ−プロリン、５−オキソプロリン、５−ピロリジノン−２−カルボン酸、グルチミン酸、グルチミニン酸、Ｌ−２−ピロリドン−５−カルボン酸、Ｌ−５−カルボキシ−２−ピロリジノン、Ｌ−５−オキソ−２−ピロリジンカルボン酸、Ｌ−５−オキソプロリン、Ｌ−グルタミン酸、γ−ラクタム、Ｌ−グルチミン酸、Ｌ−グルチミニン酸（Glutiminic acid）、Ｌ−ピログルタミン酸、Ｌ−ピロリジノンカルボン酸、Ｌ−ピロリドンカルボン酸、オキソプロリン、ＰＣＡ、ピドリン酸（Pidolic acid）、ピログルタミン酸、ピロリジノンカルボン酸、ピロリドン−５−カルボン酸、およびピロリドンカルボン酸の名前でも知られている。
【００２７】
ピログルタミン酸のＤＬ型（ＤとＬ立体異性体の混合物）は、ＤＬ−プロリン、５−オキソ−（．＋−．）−２−ピロリドン−５−カルボン酸、（．＋−．）−ピログルタミン酸、５−オキソ−ＤＬ−プロリン、ＤＬ−２−ピロリジノン−５−カルボン酸、ＤＬ−２−ピロリドン−５−カルボン酸、ＤＬピログルタミン酸塩、ＤＬ−ピログルタミン酸、ＤＬ−ピロリドンカルボン酸、およびオキソプロリンの名前でも知られている。ＤＬ型は、アジデュー（Ajidew）Ａ１００の商標名でも市販されている。
【００２８】
上記の立体異性体の一部は、ＵＣＩＢ（フランス）からバーネット・プロダクツ社（Barnet Products Corp.）（ニュージャージー）を介して市販されている。このような化合物は、クイブリドン（Cuivridone）（Ｃｕ−ＰＣＡ）とＬ−ＦＥＲピドレート（Pidolate）（Ｆｅ−ＰＣＡ）、並びにピドリドン（Pidolidone）の商標名で販売されている。
【００２９】
本発明の組成物が、ピログルタミン酸を好ましくは組成物の約０．０１重量％〜約１０重量％、更に好ましくは約０．１重量％〜約１０重量％、より好ましくは約０．２５重量％〜約８重量％、最も好ましくは約１重量％〜約５重量％含んでなる。
【００３０】
本発明の抗菌組成物が更に、補助的な酸物質を含んでもよい。これらの物質は、組成物の低ｐＨの安定化に寄与することで、組成物の抗菌効果を増大させる。本明細書の組成物には更に、有機酸が含まれているのが好ましい。本明細書に用いるのに好適な有機酸としては、コハク酸、クエン酸、リンゴ酸、酒石酸、およびこれらの混合物が挙げられる。補助的な酸物質として有機酸を使用する場合、有機酸にはコハク酸が含まれているのが好ましい。本明細書の組成物が、補助的な酸を組成物の約０．１重量％〜約１０重量％、より好ましくは約０．１重量％〜約５重量％含んでなるのが好ましい。
【００３１】
本発明の抗菌組成物が、液体支持材料を含んでなるのが好ましい。好ましい液体支持材料は、水性溶媒、揮発性溶媒、又はこれらの混合物である。好ましい水性溶媒としては水が挙げられる。本発明の抗菌組成物中に水が存在している場合、水は組成物の１０重量％〜９０重量％、好ましくは３０重量％〜８０重量％の量で存在する。
【００３２】
本発明の抗菌組成物には、揮発性溶媒が含まれている。好ましい揮発性溶媒には、１価の直鎖と分枝状Ｃ１〜Ｃ６アルコール又はこれらの混合物、より好ましくはエタノールが含まれる。本発明の抗菌組成物には揮発性溶媒が含まれているのが好ましい。これにより、組成物は十分な抗菌効果を含んでなり、また残留物をわずかに残すか実質的に残さないで適用表面から迅速に蒸発できるため、有利である。このような組成物は、水で洗い流す必要なしに手又はその他の表面を洗浄するのに有用であり、よってどこででも使用可能なことが知られている。揮発性溶媒は、約１０〜４０％未満、より好ましくは約１０〜約２５％の量で存在する。本明細書の組成物には、向上した即効性の抗菌活性をもたらすために、エタノールなどの揮発性溶媒が上記の量で存在する必要がある。しかし、揮発性溶媒が４０％以上の場合、本発明の装置により生成される泡の組織が揮発性溶媒により低減されるため、製品の適用可能な領域が減少する傾向がある。理論に束縛されるものではないが、本明細書で請求する量を超す揮発性溶媒の量は、液体組成物の表面張力を低下させることで、泡組成物の組織を減少させると考えられる。
【００３３】
抗菌組成物が相当量の泡を提供するように、またユーザーの手やその他の表面に有効な洗浄性が提供されるように、抗菌組成物が界面活性剤を含んでなるのが好ましい。好適な界面活性剤としては、アニオン性界面活性剤、カチオン性界面活性剤、非イオン性界面活性剤、双極性界面活性剤、又はこれらの混合物が挙げられ、好ましくはアニオン性界面活性剤、非イオン性界面活性剤、又はこれらの混合物であり、より好ましくはアニオン性界面活性剤である。本明細書の抗菌組成物が界面活性剤を０．１〜２５％含んでなるのが好ましい。
【００３４】
アニオン性発泡性界面活性剤の非限定的な例としては、アルキルとアルキルエーテルサルフェート、サルフェート化モノグリセリド、スルホン化オレフィン、アルキルアリールスルホネート、第一又は第二アルカンスルホネート、アルキルスルホコハク酸塩、アシルタウレート、アシルイセチオネート、アルキルグリセリルエーテルスルホネート、スルホン化メチルエステル、スルホン化脂肪酸、アルキルホスフェート、アシルグルタメート、アルキルスルホアセテート、アシル化ペプチド、アルキルエーテルカルボキシレート、アシルラクチレート、アニオン性フルオロ界面活性剤、又はこれらの組み合わせからなる群から選択されるものが挙げられる。アニオン性界面活性剤の混合物は、本発明において効果的に使用することができる。抗菌組成物に使用するのに好ましいアニオン性界面活性剤としては、アルキルサルフェートとアルキルエーテルサルフェートが挙げられる。これらの物質は、それぞれＲ１Ｏ−ＳＯ３ＭとＲ１（ＣＨ２Ｈ４Ｏ）ｘ−Ｏ−ＳＯ３Ｍの式を有し、式中、Ｒ１は約８〜約２４個の炭素原子を有する飽和又は不飽和の分枝状又は非分枝状アルキル基であり、ｘは１〜１０であり、Ｍはアンモニウム、ナトリウム、カリウム、マグネシウム、トリエタノールアミン、ジエタノールアミン、およびモノエタノールアミンなどの水溶性カチオンである。アルキルサルフェートは一般に、３酸化イオウ又はその他の既知の硫酸化技術を使用して（約８〜約２４個の炭素原子を有する）一価アルコールを硫酸化することで生成される。アルキルエーテルサルフェートは一般に、エチレンオキシドと（約８〜約２４個の炭素原子を有する）１価アルコールとの縮合生成物として生成され、その後、硫酸化される。非限定的な例としては、ラウリル硫酸アンモニウム、ラウリル硫酸ナトリウムが挙げられ、好ましくはラウリル硫酸アンモニウムである。本発明の組成物が、アニオン性界面活性剤を組成物の約０．１重量％〜約１０重量％、より好ましくは約０．１重量％〜約５重量％含んでなるのが望ましい。
【００３５】
本明細書の抗菌組成物が更に、非イオン性界面活性剤を含んでなるのが好ましい。非イオン性界面活性剤は、良好な発泡特性を提供し、サリチル酸誘導体を可溶化するため、本明細書で有用である。本明細書に用いるのに好適な非イオン性界面活性剤の非限定的な例としては、アラソルブ（Arlasolve）２００の商標名でユニクエマ（Uniqema）（ＩＣＩ界面活性剤）から入手可能なポリオキシエトキシ化イソヘキサデシルエーテルなどのエトキシ化アルコールが挙げられる。
【００３６】
好ましくは、本発明の抗菌組成物は約２〜約５のｐＨに調整する。理論に束縛されるものではないが、本明細書の組成物のウイルス破壊／ウイルス増殖抑制特性は、組成物が低ｐＨを維持する場合に向上すると考えられる。低ｐＨにより、ウイルスの被膜にプロトンが付加されるため、ウイルスが不活化されて、感染を防止すると考えられる。
【００３７】
本発明の抗菌組成物が、不揮発性成分を合計で３０％以下含んでなるのが好ましい。このような成分としては、サリチル酸誘導体、ＰＣＡ−誘導体、界面活性剤などの上述した成分に加えて、保湿剤、防腐剤、皮膚軟化剤、顔料、芳香剤、日焼け止め剤などの当業者に既知の任意の不揮発性成分が挙げられる。より好ましくは、このような不揮発性成分の量は、組成物の１０重量％以下である。理論に束縛されるものではないが、抗菌組成物中の不揮発性成分の量を最小限に抑えることで、ユーザーの手に残る残留物が最小になり、ほとんど気にならなくなるため、手を洗い流す必要がなくなると考えられる。本発明の組成物は、好ましくはリーブオン製品である。本明細書で使用する時、「リーブオン」とは、消費者の皮膚に適用して、適用後も皮膚に接触したまま残ることができる製品を意味する。本発明のリーブオン製品は、水で洗い流したり、ティッシュやその他の用品で拭き取る必要がない。
【００３８】
本発明は更に、密度が０．４ｇ／ｃｍ３未満、好ましくは０．３ｇ／ｃｍ３未満、より好ましくは０．２ｇ／ｃｍ３未満で、本発明の装置から分注するのに好適な泡の形態の抗菌組成物に関するものである。
【００３９】
発泡装置
本発明の好ましい実施形態によれば、抗菌組成物を供給するための装置が、容器と抗菌組成物を泡又は発泡組成物として分注するための手段を含んでなる。本明細書で使用する時、「泡」と「発泡組成物」とは、液体またはゲルマトリックス内に閉じ込められた気泡から成る半構造的な組成物又は塊が形成されるように、液体またはゲルがエアゾール噴射剤又は大気などの気体と混合させた組成物を意味する。
【００４０】
本明細書の装置が、輸送と使用時に抗菌組成物を収容し保存するのに好適な容器を含んでなる。このような容器は、分注装置にネジ、ラッチ、ヒンジ、クリップなどの手段、又はその他の好適な手段で取り外し可能な状態で取り付けても、あるいは一体型に形成させてもよい。容器は硬質の本体から構成しても、あるいは使用時に自然につぶれるように非硬質の本体から構成してもよい。いずれか好適な材料を使用して容器を形成してもよい。好適な非限定的な例としては、ポリエチレンテトラフタレート（ＰＥＴ）、高密度ポリエチレン（ＨＤＰＥ）、ポリプロピレン（ＰＰ）、又はこれらの混合物が挙げられる。
【００４１】
抗菌組成物を分注するための装置は、抗菌組成物が保存されている容器と流体連通しており、抗菌組成物が使用のために射出される放出口を含んでなり、更にポンプ、スクイーズボトル、エアゾール、又はその他の当業者に既知の同様の装置を含んでなることも可能である。分注用の装置は、ユーザーが装置を操作して抗菌組成物を分注できるものである。例えば、非エアゾールポンプは、抗菌組成物を押し出すようにポンプの上部を押すことで操作可能であり、あるいはエアゾールを使用して、圧縮容器内の噴射ガスにより抗菌組成物が射出されるようにバルブを押すことにより操作可能である。好ましくは、分注用の装置がポンプを含んでなり、より好ましくは非エアゾールポンプスプレーを含んでなる。
【００４２】
本発明の装置が更に、分注前又は分注時のいずれかで前記抗菌組成物を気体と混合して泡を形成させる手段を含んでなる。好ましくは、混合手段により、抗菌組成物と気体が少なくとも１：１（抗菌組成物：気体）、好ましくは１：１〜１：３０、より好ましくは１：５〜１：１５の容量比で混合する。気体が、好ましくは大気、噴射ガス、又はこれらの混合物を含んでなる。
【００４３】
抗菌製剤を泡として分注するための好適な手段の非限定的な例は、米国特許第６，０５３，３６４号、欧州特許第８３５５００Ａ１号、欧州特許第６１３７２８Ａ１号とＷＯ０４／０７８３５９Ａ１号に記載されている。簡単に言うと、空気−液体混合物（特に泡）を分注するための装置は作動ユニットを含んでなり、作動ユニットには少なくとも空気ポンプと液体ポンプがあり、これらのポンプは本質的に同軸で、それぞれ内部に置換可能なピストンとピストンチャンバを含んでなる。各ポンプには入口と出口がある。２つのポンプを作動させるための作動要素が存在し、作動要素は液体ポンプのピストンと一体型で、内部に出口に連結している放出路がある。放出路はポンプの出口に連結させてもよい。空気又は液体をそれぞれ対応するピストンチャンバに吸い上げ、これらの流体を放出路に分注可能にする遮断媒体が、空気と液体ポンプの入口と出口に存在している。放出路と各ポンプとの接続は、空気又は液体の吸い上げ時は遮断される。空気ポンプには、空気ポンプへの空気の入口と、空気ポンプからの空気の出口を共に遮断する二重作用の遮断装置を含んでなる。
【００４４】
本発明の装置はキットとして供給してもよく、
ｉ．パッケージに注入した抗菌組成物であって、少なくとも１つのピログルタミン酸誘導体が含まれている抗菌組成物；
ｉｉ．前記液体抗菌組成物を収容する容器；および
ｉｉｉ．前記容器と流体連通しており、前記抗菌組成物を泡として分注するための手段を含んでなる、キットを提供する。
【００４５】
本発明の装置とキットはユーザーの手を洗浄する方法で使用してもよく、この方法には、
ｉ．本明細書に記載する装置から液体抗菌組成物をユーザーの片手又は両手に分注する工程；
ｉｉ．ユーザーの手をこすり合わせて手表面のほぼ全体に泡を分散させる工程；
ｉｉｉ．前記ユーザーの手に液体残留物が実質的に残らないように、泡が消散するのに十分な時間、続けてユーザーの手をこすり合わせる工程、を含んでなる方法が含まれる。
【実施例】
【００４６】
以下は、本発明の装置用のパッケージに注入可能な組成物の非限定的な例である。以下の抗菌組成物はすべてエアスプレー（Airspray）から入手可能なＦ２−フィンガー・ポンプ・フォーマー（F2-Finger Pump Foamer）（コードＦ２−Ｌ１１）に詰める。作動時に、このパッケージは、空気と１：１０の割合で組成物の約０．８ｍＬを分注し、密度が約０．１ｇ／ｃｍ３の泡をもたらす。組成物は、即効性と残効性の両方への抗菌活性とウイルス増殖抑制活性を有する有効な手の清浄薬である。手をこすり続けて揮発性溶媒が蒸発すると、手には実質的にわずかな残留物が残るか、あるいは全く残らなかった。
【表１】
2008520258.tif 000002
１ポリオキシエチレン（２０）イソヘキサエチルエーテル、ユニクエマ（Uniqema）から入手可能。
【国際調査報告】
2008520258.tif 000003
2008520258.tif 000004
2008520258.tif 000005